(57)【要約】　　　（修正有）【課題】ランチボックスを洗浄液で洗浄する際に、レンチキュラーレンズを内包するように設けられている為に、洗浄液による浸食や、洗浄によるレンチキュラーレンズの剥がれなどを防ぐことができ、複数回の洗浄後にも綺麗な画像を得ることができるランチボックス及びトリオを提供する。【解決手段】上蓋と下蓋で構成され、料理された食品を入れるランチボックスで、前記上蓋１０の上面に凹部２２が設けられ、該凹部底面１１の外周に沿って凸状の凸部１２を設け、前記凹部底面の形状に応じたレンチキュラーレンズ３０と、前記凹部を覆うように設けられた透明部材２０と、前記透明部材の下面には、前記上蓋に設けられた凸部の合わせた凹部が設けられ、前記上蓋と前記透明部材で前記レンチキュラーレンズを内包するようにし、前記上蓋の凸部と前記透明部材の凹部を溶着されている。【選択図】　　　　　図２
0003098951.tif 000002
【実用新案登録請求の範囲】
【請求項１】
上蓋と下蓋で構成され、料理された食品を入れるランチボックスで、前記上蓋の上面に凹部が設けられ、該凹部底面の外周に沿って凸状の凸部を設け、前記凹部底面の形状に応じたレンチキュラーレンズと、前記凹部を覆うように設けられた透明部材と、前記透明部材の下面には、前記上蓋に設けられた凸部の合わせた凹部が設けられ、前記上蓋と前記透明部材で前記レンチキュラーレンズを内包するようにし、前記上蓋の凸部と前記透明部材の凹部を溶着し、前記レンチキュラーレンズを保護することにより、レンチキュラーレンズの破損や、剥がれなどを防ぐことを特徴としたランチボックス。
【請求項２】
上蓋と下蓋で構成され、スプーン・フォーク・箸などのいずれか１つ以上を収容するトリオで、前記上蓋の上面に凹部が設けられ、該凹部底面の外周に沿って凸状の凸部を設け、前記凹部底面の形状に応じたレンチキュラーレンズと、前記凹部を覆うように設けられた透明部材と、前記透明部材の下面には、前記上蓋に設けられた凸部の合わせた凹部が設けられ、前記上蓋と前記透明部材で前記レンチキュラーレンズを内包するようにし、前記上蓋の凸部と前記透明部材の凹部を溶着し、前記レンチキュラーレンズを保護することにより、レンチキュラーレンズの破損や、剥がれなどを防ぐことを特徴としたトリオ。
【考案の詳細な説明】
【考案の属する技術分野】
本考案はレンチキュラーレンズを用いたランチボックス及びトリオに関する。
【０００１】
【従来の技術】
従来菓子容器などで、容器表面にレンチキュラーレンズを貼付したものがあった。しかしながら、このようなものの場合では、洗浄した際や、使用中などに、レンチキュラーレンズの汚れや、剥がれが生じてレンチキュラーレンズを通して画像が綺麗に見られなくなることがあった。
【０００２】
また、従来（例えば、特許文献１参照。）コップ内などに内包されたレンチキュラー用の画像を内包し、コップ外周面をレンチキュラーレンズ状に形成することによって、複数の画像を見る角度を変えることにより見ることができるはずだが、筒の外周部にレンチキュラーレンズを設けた際に筒形状の為に、正常に画像を見ることが出来ない場合があった。これは、レンチキュラー用の画像と、筒外周部のレンチキュラーレンズの配置が微妙に異なる場合があり、製造過程において高度な位置精度を要する原因となっている。
【０００３】
また、ランチボックス及びトリオを洗浄液で洗浄を要する際に、洗浄液による浸食や、洗浄によるレンチキュラーレンズの剥がれなどが生じることを防ぐことができ、複数回の洗浄後にも、綺麗な画像を得ることができ製造の過程も簡単なランチボックスやトリオなどが求められていた。
【特許文献１】
実用新案登録第３０８３６１８号公報
【０００４】
【考案が解決しようとする課題】
そこで、本考案は、上記従来技術の問題点の斯かる実情に鑑みなされたもので、ランチボックスを洗浄液で洗浄する際に、レンチキュラーレンズを内包するように設けられている為に、洗浄液による浸食や、洗浄によるレンチキュラーレンズの剥がれなどを防ぐことができ、複数回の洗浄後にも綺麗な画像を得ることができるランチボックス及びトリオを提供することを課題とする。
【０００５】
【課題を解決するための手段】
本考案は、上蓋と下蓋で構成され、料理された食品を入れるランチボックスで、前記上蓋の上面に凹部が設けられ、該凹部底面の外周に沿って凸状の凸部を設け、前記凹部底面の形状に応じたレンチキュラーレンズと、前記凹部を覆うように設けられた透明部材と、前記透明部材の下面には、前記上蓋に設けられた凸部の合わせた凹部が設けられ、前記上蓋と前記透明部材で前記レンチキュラーレンズを内包するようにし、前記上蓋の凸部と前記透明部材の凹部を溶着し、前記レンチキュラーレンズを保護することにより、レンチキュラーレンズの破損や、剥がれなどを防ぐことを特徴とする。
【０００６】
上記本考案によれば、料理された食品を入れるランチボックスは、レンチキュラーレンズを内包するように設けられている為に、洗浄液による浸食や、洗浄によるレンチキュラーレンズの剥がれなどを防ぐことができ、複数回の洗浄後にも綺麗な画像を得ることができる。
【０００７】
本考案は、上蓋と下蓋で構成され、スプーン・フォーク・箸などのいずれか１つ以上を収容するトリオで、前記上蓋の上面に凹部が設けられ、該凹部底面の外周に沿って凸状の凸部を設け、前記凹部底面の形状に応じたレンチキュラーレンズと、前記凹部を覆うように設けられた透明部材と、前記透明部材の下面には、前記上蓋に設けられた凸部の合わせた凹部が設けられ、前記上蓋と前記透明部材で前記レンチキュラーレンズを内包するようにし、前記上蓋の凸部と前記透明部材の凹部を溶着し、前記レンチキュラーレンズを保護することにより、レンチキュラーレンズの破損や、剥がれなどを防ぐことを特徴とする。
【０００８】
上記本考案によれば、スプーン・フォーク・箸などのいずれか１つ以上を収容するトリオは、レンチキュラーレンズを内包するように設けられている為に、洗浄液による浸食や、洗浄によるレンチキュラーレンズの剥がれなどを防ぐことができ、複数回の洗浄後にも綺麗な画像を得ることができる。
【０００９】
【考案の実施の形態】
上蓋と下蓋で構成され、料理された食品を入れるランチボックスで、前記上蓋の上面に凹部が設けられ、該凹部底面の外周に沿って凸状の凸部を設け、前記凹部底面の形状に応じたレンチキュラーレンズと、前記凹部を覆うように設けられた透明部材と、前記透明部材の下面には、前記上蓋に設けられた凸部の合わせた凹部が設けられ、前記上蓋と前記透明部材で前記レンチキュラーレンズを内包するようにし、前記上蓋の凸部と前記透明部材の凹部を溶着されている。
【００１０】
上蓋と下蓋で構成され、スプーン・フォーク・箸などのいずれか１つ以上を収容するトリオで、前記上蓋の上面に凹部が設けられ、該凹部底面の外周に沿って凸状の凸部を設け、前記凹部底面の形状に応じたレンチキュラーレンズと、前記凹部を覆うように設けられた透明部材と、前記透明部材の下面には、前記上蓋に設けられた凸部の合わせた凹部が設けられ、前記上蓋と前記透明部材で前記レンチキュラーレンズを内包するようにし、前記上蓋の凸部と前記透明部材の凹部を溶着されている。
【００１１】
【実施例】
以下、本考案の実施例を添付図面を参照して説明する。図１〜図３を用いて説明する。図１は、本考案の実施形態における一実施例のレンチキュラーレンズを用いたランチボックス及びトリオを表す図である。図２は、本考案の実施形態における一実施例のランチボックス及びトリオの上蓋の分解断面図である。図３は、本考案の実施形態における一実施例で蓋の形態について示す図である。
【００１２】
図１（Ａ）はランチボックスである。ランチボックスは、上蓋１０・下蓋４０・透明部材２０・レンチキュラーレンズ３０・止め具５０で構成されている。ランチボックスは料理された食品などを入れる容器であるが、容器内に収容可能なものであれば、どのようなものであっても構わない。
【００１３】
ランチボックスを構成する上蓋１０の上面に、凹部が設けられ、その凹部にレンチキュラーレンズ３０を内包するように、透明部材２０で覆うようになっている。上蓋１０の上面から、透明部材が突出しないように、透明部材２０の上面と、上蓋１０の上面が一緒の高さになるようにするのが望ましい。
【００１４】
図２（Ａ）に示すように、上蓋１０の上面に凹部を設け、その凹部底面１１の外周に凸部１２が設けられている。凸部１２は、凹部外周に沿って切れ目なく繋がっていることによって、透明部材２０を溶着した際に、レンチキュラーレンズ３０の保護できる。また、該凸部１２は、凹部底面１２の外周に沿ってあり、切れ目が生じていても、上蓋１０と、透明部材２０がレンチキュラーレンズを保護するように密着状態であれば、構わない。
【００１５】
また、透明部材２０は、アクリル樹脂で生成されている。透明部材２０の下面に底面凹部２１が設けられている。該底面凹部２１の外周に更に凹部２２が設けられている。この外周に設けられている凹部は上蓋１０に設けられている凸部１２を嵌合するようになっている。実施の例では、透明部材２０に底面凹部２１が設けられているが、必ず必要ではない。上蓋１０に設けられた凸部１２に嵌合する凹部２２があれば良い。
【００１６】
上蓋１０と、透明部材２０を、レンチキュラーレンズ３０を内包するように、夫々の凸部１２凹部２２を嵌合させる。凸部１２凹部２２をウェルダーなど用いて、溶着することにより、洗浄液などから浸食されることなく防水性を高めることが可能である。また、凸部１２及び凹部２２を接着剤などで接着することが可能である。接着した場合においては、溶着ほどの防水性は望めないが、ある程度の防水性を得ることができる。
【００１７】
ランチボックスの上蓋１０と下蓋４０は、止め具５０によって、密閉されるようになっており、また、止め具５０を操作することによって、開放することもできる。止め具５０は、図示しないが上蓋５０に回転自在に軸止されている。止め具５０を回転させると下蓋４０と係合し、密閉するようになっている。また、開放する際には、密閉時と逆方向に回転させることにより開放することが可能である。
【００１８】
図１（Ｂ）はトリオである。トリオは、上蓋１０・下蓋４０・透明部材２０・レンチキュラーレンズ３０・ヒンジ５１・受け皿６０・スプーン６１・フォーク６２・箸６３で構成されている。トリオは、スプーン・フォーク・箸などを入れる容器である。トリオは、主に食器類を収容する容器であるが、容器内に収容可能なものであれば、どのようなものであっても構わない。
【００１９】
トリオを構成する上蓋１０の上面に、凹部が設けられ、その凹部にレンチキュラーレンズ３０を内包するように、透明部材２０で覆うようになっている。上蓋１０の上面から、透明部材が突出しないように、透明部材２０の上面と、上蓋１０の上面が一緒の高さになるようにするのが望ましい。
【００２０】
図２（Ｂ）に示すように、上蓋１０の上面に凹部を設け、その凹部底面１１の外周に凸部１２が設けられている。凸部１２は、凹部外周に沿って切れ目なく繋がっていることによって、透明部材２０を溶着した際に、レンチキュラーレンズ３０の保護できる。また、該凸部１２は、凹部底面１２の外周に沿ってあり、切れ目が生じていても、上蓋１０と、透明部材２０がレンチキュラーレンズを保護するように密着状態であれば、構わない。
【００２１】
また、透明部材２０は、アクリル樹脂で生成されている。透明部材２０の下面に底面凹部２１が設けられている。該底面凹部２１の外周に更に凹部２２が設けられている。この外周に設けられている凹部は上蓋１０に設けられている凸部１２を嵌合するようになっている。実施の例では、透明部材２０に底面凹部２１が設けられているが、必ず必要ではない。上蓋１０に設けられた凸部１２に嵌合する凹部２２があれば良い。
【００２２】
上蓋１０と、透明部材２０を、レンチキュラーレンズ３０を内包するように、夫々の凸部１２凹部２２を嵌合させる。凸部１２凹部２２をウェルダーなど用いて、溶着することにより、洗浄液などから浸食されることなく防水性を高めることが可能である。また、凸部１２及び凹部２２を接着剤などで接着することが可能である。接着した場合においては、溶着ほどの防水性は望めないが、ある程度の防水性を得ることができる。
【００２３】
図３は、トリオの下蓋４０内に、受け皿６０をいれ、スプーン６１・フォーク６２・箸６３を収容した図である。図３（Ａ）は、受け皿６０を収容する前の状態であり、この状態であれば、ランチボックスと同様に使うことができる。図３（Ｂ）は食器類を収容した状態の図である。
【００２４】
トリオの下蓋４０の大きさに合わせた受け皿６０を設置する。受け皿６０の上面には、スプーン６１・フォーク６２・箸６３を収容可能なように、夫々の形状に合わせた凹部が設けられている。該凹部にスプーン６１・フォーク６２・箸６３を収容することができる。
【００２５】
トリオの上蓋１０は上蓋１０・下蓋４０に夫々ヒンジ５１を中心に回転自在に設けられている。上蓋１０を下蓋４０と合わせるようにすることにより、上蓋１０が下蓋４０に設けられた受け具４１に係合することによって、密閉状態にすることができる。該受け具４１を押圧することにより、上蓋１０と下蓋４０の係合が解除され、開放状態となるようになっている。
【００２６】
図４は、本考案のレンチキュラーレンズ３０を示す図である。レンチキュラーレンズ３１は、透明な塩化ビニル樹脂またアクリル樹脂のシートに表面に「かまぼこ」状の微細な凸レンズを縞模様に成形したものであり、凸レンズの巾を印刷の線状帯の巾に合わせたものとしている。この凸レンズを通して、印刷された画像を見ると、立体あるいは可変の画像として見ることができるようになっている。
【００２７】
図４（Ａ）は、レンチキュラーレンズ３０の断面図である。レンチキュラーレンズ３０は、印刷画像３２と、レンズ３１を組み合わせて構成されている。この印刷画像３２は、紙あるいはプラスチックフィルムで形成されて、レンズ３１の巾に合わせて数本の線状帯を順次隣接した画像を印刷する。レンズ３１を通さずに直接見た場合には、画像としては不明瞭なものであるが、レンズ３１と通して見た場合は、その見た角度によって、図４（Ｂ）に示すように、画像３２ａ・画像３２ｂ・画像３２ｃと３つの画像を見ることができる。また、実施の例では、３つの画像を用いた例で説明しているが、レンズ３１の巾内に５つの分解された帯状の画像を印刷することによって、レンズ３１を通して見た際に、５つの画像を見ることが可能となる。このように、レンズの巾内に複数の分解された帯状の画像を印刷することによって、複数の画像をみることができるようになる。
【００２８】
ランチボックス及びトリオのレンチキュラーレンズ３０の向きは、どのような向きでも構わないが、夫々の長手方向から使用者が見て、綺麗見えるように設けることが望ましい。
【００２９】
以上説明したように、構成し実施することにより、洗浄液で洗浄する際などに、レンチキュラーレンズを内包するように設けられている為に、洗浄液による浸食や、洗浄によるレンチキュラーレンズの剥がれなどを防ぐことができ、複数回の洗浄後にも綺麗な画像を得ることができるランチボックス及びトリオを提供することができる。また、好ましい実施例を挙げて本考案を説明したが、本考案はその実施例に限定されるものではなく、実用新案登録請求の範囲に記載した技術的範囲内で種々に改変できる。
【００３０】
【考案の効果】
本考案は、以上説明したような形態で実施され、次のような効果を有する。
【００３１】
料理された食品を入れるランチボックスは、レンチキュラーレンズを内包するように設けられている為に、洗浄液による浸食や、洗浄によるレンチキュラーレンズの剥がれなどを防ぐことができ、複数回の洗浄後にも綺麗な画像を得ることができる。
【００３２】
スプーン・フォーク・箸などのいずれか１つ以上を収容するトリオは、レンチキュラーレンズを内包するように設けられている為に、洗浄液による浸食や、洗浄によるレンチキュラーレンズの剥がれなどを防ぐことができ、複数回の洗浄後にも綺麗な画像を得ることができる。
【図面の簡単な説明】
【図１】本考案の実施形態における一実施例のレンチキュラーレンズを用いたランチボックス及びトリオを表す図である。
【図２】本考案の実施形態における一実施例のランチボックス及びトリオの上蓋の分解断面図である。
【図３】本考案の実施形態における一実施例で蓋の形態について示す図である。
【図４】本考案のレンチキュラーレンズを示す図である。
【符号の説明】
１０　上蓋
１１　凹部底面
１２　凸部
２０　透明部材
２１　底面凹部
２２　凹部
３０　レンチキュラーレンズ
３１　レンズ
３２　印刷画像
４０　下蓋
４１　受け具
５０　止め具
５１　ヒンジ
６０　受け皿
６１　スプーン
６２　フォーク
６３　箸
【図１】
0003098951.tif 000003
【図２】
0003098951.tif 000004
【図３】
0003098951.tif 000005
【図４】
0003098951.tif 000006